(57)【要約】【課題】洗浄水の飛散を抑制することができる水洗式便器を提供する。【解決手段】水洗式便器１は、洗浄水が環状に旋回して流通する通水部１３、及び通水部１３の内側下方に設けられて洗浄水を貯留する溜水部１４を有する便鉢１０と、便鉢１０に開口して通水部１３を流通する洗浄水を便鉢１０内に吐出する第１吐水口２１と、便鉢１０に開口して便鉢１０の通水部１３よりも内側の領域に直接流入する洗浄水を吐出する第２吐水口２２と、を備えている。【選択図】図１
2018204195.tif 000002
【特許請求の範囲】
【請求項１】
洗浄水が環状に旋回して流通する通水部、及び前記通水部の内側下方に設けられて洗浄水を貯留する溜水部を有する便鉢と、
前記便鉢に開口して前記通水部を流通する洗浄水を前記便鉢内に吐出する第１吐水口と、
前記便鉢に開口して前記便鉢の前記通水部よりも内側の領域に直接流入する洗浄水を吐出する第２吐水口と、
を備えることを特徴とする水洗式便器。
【請求項２】
前記第２吐水口から吐出される洗浄水は、前記溜水部に貯留された洗浄水の水面よりも上方且つ前記通水部よりも下方の前記便鉢の表面に衝突するように吐出されることを特徴とする請求項１記載の水洗式便器。
【請求項３】
前記第２吐水口は前記便鉢の前記通水部よりも外側の領域に開口していることを特徴とする請求項１又は２記載の水洗式便器。
【発明の詳細な説明】
【技術分野】
【０００１】
本発明は、水洗式便器に関する。
【背景技術】
【０００２】
特許文献１には、便鉢と、この便鉢に開口して洗浄水を吐出する第１及び第２吐水口とを備える水洗式便器が開示されている。この水洗式便器では、第１吐水口から吐出された洗浄水は旋回して便鉢内を流通する水流を形成する。第２吐水口から吐出される洗浄水は、第１吐水口よりも下流側で吐出され、第１吐水口から吐出された洗浄水に合流して便鉢内を流通する。
【先行技術文献】
【特許文献】
【０００３】
【特許文献１】特開２０１５−１７８７２９号公報
【発明の概要】
【発明が解決しようとする課題】
【０００４】
特許文献１の水洗式便器の場合、第１吐水口から吐出されて便鉢内を旋回する洗浄水は、第２吐水口の直前の上流側に形成されたガイド部によって、第２吐水口から吐出される洗浄水の吐出方向とほぼ同一方向となるようにガイドされる。これにより、第２吐水口から吐出される洗浄水を旋回水流にスムーズに合流させ、水流同士の衝突による洗浄水の便鉢外への溢れを防止している。しかしながら、水流が合流するので多少の衝突は発生しており、これによる洗浄水の飛沫が発生してしまっていた。
【０００５】
本発明は、上記従来の実情に鑑みてなされたものであって、洗浄水の飛散を抑制することができる水洗式便器を提供することを解決すべき課題としている。
【課題を解決するための手段】
【０００６】
本発明の水洗式便器は、
洗浄水が旋回して流通する通水部、及び前記通水部の内側下方に設けられて洗浄水を貯留する溜水部を有する便鉢と、
前記便鉢に開口して前記通水部を流通する洗浄水を前記便鉢内に吐出する第１吐水口と、
前記便鉢に開口して前記便鉢の前記通水部よりも内側の領域に直接流入する洗浄水を吐出する第２吐水口と、
を備えることを特徴とする。
【０００７】
この水洗式便器は、第１吐水口から吐出される洗浄水は、便鉢内の通水部を旋回して流通する。一方、第２吐水口から吐出される洗浄水は、便鉢の通水部よりも内側の領域に直接流入する。このため、第１吐水口及び第２吐水口からの夫々の洗浄水を合流させることなく吐出させることができる。その結果、洗浄水の水流同士の衝突を回避することができ、衝突による飛沫の発生を防止することができる。
【０００８】
したがって、本発明の水洗式便器は、洗浄水の飛散を抑制することができる。
【図面の簡単な説明】
【０００９】
【図１】実施例１の水洗式便器を示す平面図である。
【図２】実施例１の水洗式便器を示す側面断面図である。
【図３】図１のＩＩＩ−ＩＩＩ線断面図である。
【図４】図１のＩＶ−ＩＶ線断面図である。
【図５】実施例２の水洗式便器を説明するための図である。
【図６】実施例２の水洗式便器の要部拡大断面図である。
【発明を実施するための形態】
【００１０】
本発明における好ましい実施の形態を説明する。
【００１１】
本発明の水洗式便器において、前記第２吐水口から吐出される洗浄水は、前記溜水部に貯留された洗浄水の水面よりも上方且つ前記通水部よりも下方の前記便鉢の表面に衝突するように吐出され得る。この場合、吐出した洗浄水の溜水面との直接的な衝突を回避することができるので、飛沫の発生を抑えることができる。また、吐出した洗浄水の溜水面との直接的な衝突を回避できるので、溜水部の方向により勢いよく吐出することができ、汚物排出能力の向上を図ることができる。このように、飛沫の発生抑制と汚物排出能力の向上との両立を図ることができる。
【００１２】
本発明の水洗式便器において、前記第２吐水口は前記便鉢の前記通水部よりも外側の領域に開口し得る。この場合、通水部よりも内側の領域に開口している場合と比較して、容易に製造することができる。また、導水経路をより短くすることができるので、洗浄水の流通抵抗を低減することができる。その結果、水勢の低下を抑制することができる。さらに、通水部の外側の領域は、通水部を流通する洗浄水中の汚物との接触が内側の領域よりも少ないので汚物が侵入し難く、より衛生的な便器を実現することができる。
【００１３】
次に、本発明の便座装置を具体化した実施例１及び２について、図面を参照しつつ説明する。なお、以下の説明において、前後方向、左右方向、上下方向とは、便器に着座した状態の使用者から見た前後方向、左右方向、上下方向を夫々示すものとする。
【００１４】
＜実施例１＞
実施例１の水洗式便器１は、図１〜図４に示すように、便鉢１０、第１吐水口２１、及び第２吐水口２２を備えている。これら便鉢１０及び２つの吐水口２１，２２は便器本体２に形成されている。便器本体２は、便鉢１０の下方に排水管３０を有している。また、便器本体２は、便鉢１０の後方に収納空間Ｓを形成している。
【００１５】
便鉢１０は、立面部１１、鉢面部１２、通水部１３及び溜水部１４を有している。立面部１１は便鉢１０の上端部に設けられており、その表面が上下方向に延びて形成されている。立面部１１は便鉢１０の上端部の略全周に亘って形成されている。立面部１１は、平面視において、前後にやや長い環状に形成されている。また、立面部１１の上端面は、略一定の高さで外側方向に略水平に延びている。このように、水洗式便器１は、立面部１１の上端から内側に張り出すオーバーハング部のない便器である。鉢面部１２は、立面部１１の下端よりも内周側下方にすり鉢状に形成されている。鉢面部１２は、中央後方側に向かって低くなるように傾斜して形成されている。
【００１６】
通水部１３は洗浄水が旋回して流通する。本実施例において、通水部１３は、棚面部１３Ａ及び傾斜面部１３Ｂを有して構成されている。詳細には、棚面部１３Ａは、立面部１１の下端と鉢面部１２の上端とを繋ぐように、立面部１１と鉢面部１２との間に設けられている。棚面部１３Ａは、その表面が上方を向く棚面状に形成されている。また、棚面部１３Ａは、内側（便鉢１０の中央方向）に向かうに連れてわずかに下方に傾斜して延びている。棚面部１３Ａは、前方の一部を除いた便鉢１０の周縁に設けられている。傾斜面部１３Ｂは、便鉢１０の前方に設けられており、平面視略馬蹄形をなす棚面部１３Ａの馬蹄形状の間の隙間に設けられている。傾斜面部１３Ｂは、立面部１１の下端から鉢面部１２のすり鉢形状に連続して形成されている。
【００１７】
溜水部１４は、鉢面部１２の下方に形成されて排水管３０に連なっている。溜水部１４は通水部１３の内側下方に設けられて洗浄水を貯留する。本実施例の場合、溜水部１４は、鉢面部１２の下端に連続して設けられている。溜水部１４は、便鉢１０の左右方向の略中央の後方寄りに配されている。溜水部１４は洗浄水を貯留することによって洗浄水による溜水を形成する。
【００１８】
第１吐水口２１は、便鉢１０に開口して通水部１３を流通する洗浄水を吐出する。本実施例の場合、第１吐水口２１は、便鉢１０の後部右側の立面部１１に開口して設けられている。第１吐水口２１からの洗浄水は前方に向かって吐出され、通水部１３上を流通する第１水流Ｆ１を形成する。第１水流Ｆ１は、通水部１３上を立面部１１に沿って平面視反時計回りの方向に環状に旋回しつつ流通する。また、通水部１３を流通した洗浄水は、鉢面部１２を経て溜水部１４に流れ込み、排水管３０へと排出される。
【００１９】
第２吐水口２２は、便鉢１０に開口して便鉢１０の通水部１３よりも内側の領域に直接流入する洗浄水を吐出する。本実施例の場合、第２吐水口２２は、便鉢１０の後部左側の立面部１１に開口して設けられている。すなわち、本実施例における第２吐水口２２は、便鉢１０の通水部１３よりも外側の領域に開口している。第２吐水口２２からの洗浄水は右斜め前方に向かって吐出され、通水部１３を流通することなく溜水部１４に流れ込む第２水流Ｆ２を形成する。
【００２０】
第２水流Ｆ２は、図１に示すように、平面視において第１水流Ｆ１と交差する形態で右前方に向かって吐出される。図３及び図４に示すように、第２吐水口２２は、通水部１３を流通する第１水流の流通高さよりも高い位置に開口して形成されている。これにより、第２水流Ｆ２は第１水流Ｆ１の上方を通過し、通水部１３よりも内側の領域に流入する。また、本実施例では、第２吐水口２２から吐出される洗浄水は、溜水部１４に貯留された洗浄水の水面ＷＳよりも上方且つ通水部１３よりも下方の鉢面部１２に衝突するように吐出される。
【００２１】
便器本体２の便鉢１０後方には収納空間Ｓが形成されている。収納空間Ｓの前方右側には第１吐水路２１Ａが形成されている。第１吐水路２１Ａは、収納空間Ｓの右部から前方に略直線状に延び、その先端には第１吐水口２１が開口している。また、収納空間Ｓの前方左側には第２吐水路２２Ａが形成されている。第２吐水路２２Ａは、収納空間Ｓの左部から前方に延びるとともに、その中程で右斜め前方に屈曲する形態で形成されており、先端には第２吐水口２２が開口している。
【００２２】
収納空間Ｓには分配給水管２３が収納されている。第１吐水口２１及び第２吐水口２２への洗浄水の供給はこの分配給水管２３により行われる。分配給水管２３は、基端部が洗浄タンクＴに接続されているとともに、先端側は第１給水管２４及び第２給水管２５の２つの管に分岐して設けられている。図１に示すように、分配給水管２３は、第１給水管２４が第１吐水路２１Ａに挿通されており、第２給水管２５が第２吐水路２２Ａに挿通されている。第１給水管２４は先端の開口２４Ａから第１吐水口２１に向けて洗浄水を吐出する。第２給水管２５は先端部側面の開口２５Ａから第２吐水口２２に向けて洗浄水を吐出する。
【００２３】
次に、実施例１の水洗式便器１の作用について説明する。図１に示すように、第１吐水口２１から吐出された洗浄水は便鉢１０の後部右側から前方に向かって吐出され、通水部１３を流通する第１水流Ｆ１を形成する。第１水流Ｆ１は、立面部１１に沿って旋回しつつ通水部１３上を流通して便鉢１０の周縁部を洗浄する。その後、第１水流Ｆ１を形成していた洗浄水は、通水部１３の内周側に落ち込みつつ流通して便鉢１０の中央側を洗浄し、鉢面部１２を経て溜水部１４に流れ込んで排水管３０へと排出される。
【００２４】
一方、第２吐水口２２から吐出された洗浄水は第２水流Ｆ２を形成する。第２水流Ｆ２は、便鉢１０の後部左側の第２吐水口２２から右斜め前方に向かって吐出される。第２水流Ｆ２は、便鉢１０の通水部１３よりも内側の領域に直接流入し、洗浄されて溜水部１４に到達した汚物を排水管３０に押し込むように作用して排出を促す。第２水流Ｆ２は、図１に示すように、平面視において第１水流Ｆ１と交差する方向に流通する水流である。しかし、上述のように第２吐水口２２が第１水流Ｆ１の流通高さよりも高い位置に開口していることから、第２水流Ｆ２は第１水流Ｆ１の上方を通過する。このため、第２水流Ｆ２は、第１水流Ｆ１と合流・衝突することなく、通水部１３よりも内側の領域に直接流入することができる。
【００２５】
また、この時、第２水流Ｆ２は、溜水部１４に貯留された洗浄水の水面ＷＳよりも上方且つ通水部１３よりも下方の便鉢１０表面に衝突するように、第２吐水口２２から吐出される。すなわち、第２吐水口２２から吐出された第２水流Ｆ２は、便鉢１０の中央寄りの位置の便鉢１０の表面に向けて吐出される。このため、水流Ｆ２と溜水面ＷＳとの直接的な衝突が回避されて飛沫の発生が抑制される。また、図３及び図４に示すように、便鉢１０の中央寄りの位置の表面は、通水部１３の内側近傍と比較して切り立って形成されている。このため、この位置に衝突する洗浄水は、飛沫となったとしても溜水面ＷＳの方向に飛散しやすい。このため、水勢を高めて吐出された第２水流Ｆ２であっても便器の外側への飛沫の飛散が低減される。
【００２６】
なお、第２吐水口２２は、便鉢１０の通水部１３よりも外側の領域に開口していることから、通水部１３の内側に開口している場合と比較して第２吐水路２２Ａの長さが短くなり、便器本体２の製造が容易である。また、これに伴って分配給水管２３から分岐する第２給水管２５も短くなる。このため、洗浄水の流通抵抗が低減され、水勢低下の抑制が図られている。
【００２７】
以上のように、実施例１の水洗式便器１は、第１吐水口２１から吐出される洗浄水は第１水流Ｆ１を形成し、便鉢１０内の通水部１３を旋回して流通する。一方、第２吐水口２２から吐出される洗浄水は第２水流Ｆ２を形成し、便鉢１０の通水部１３よりも内側の領域に直接流入する。このため、第１吐水口２１及び第２吐水口２２から吐出される洗浄水により形成される水流Ｆ１，Ｆ２を合流させることなく吐出させることができる。その結果、水流Ｆ１，Ｆ２の衝突を回避することができ、衝突による飛沫の発生を防止することができる。
【００２８】
したがって、実施例１の水洗式便器１は、洗浄水の飛散を抑制することができる。
【００２９】
また、第１水流Ｆ１及び第２水流Ｆ２は、別々の吐出口から合流することなく吐出されるので、各水流Ｆ１及びＦ２には合流による乱れが生じない。このため、第１水流Ｆ１及び第２水流Ｆ２の夫々を、狙った位置に精度良く供給することができる。これにより、例えば、第１水流は鉢面部の洗浄、第２水流は汚物の排出促進など、各水流に役割を持たせて吐出することによって良好な便器洗浄を実現することができる。
【００３０】
また、第２吐水口２２は便鉢１０の通水部１３よりも外側の領域に開口している。このため、通水部１３よりも内側の領域に開口している場合と比較して、吐水路や給水管等の導水系の構造を簡素化できるので、容易に製造することができる。また、通水部１３よりも内側の領域に開口している場合と比較して導水経路をより短くすることができるので、洗浄水の流通抵抗を低減することができ、水勢低下の抑制を図ることができる。さらに、通水部１３よりも内側の領域に開口している場合と比較して汚物が侵入し難いので、より衛生的な便器を実現することができる。
【００３１】
また、第２吐水口２２から吐出される洗浄水は、溜水部１４に貯留された洗浄水の水面ＷＳよりも上方且つ通水部１３よりも下方の便鉢１０の表面に衝突するように吐出される。このため、溜水部１４の方向に勢いよく吐出することができるとともに、吐出した洗浄水の溜水面ＷＳとの衝突を回避することができる。このため、飛沫の発生防止と汚物排出能力の向上との両立を図ることができる。
【００３２】
＜実施例２＞
次に、図５、図６等を参照し、実施例２について説明する。
図５及び図６に示す実施例２の水洗式便器２０１は、第２吐水口２２２が第１水流Ｆ１の流通高さと同じ高さで開口している点で実施例１と相違する。他の構成は実施例１と同一であり、同一の構成は同一の符号を付し、詳細な説明を省略する。
【００３３】
実施例２では、図５及び図６に示すように、第２吐水口２２２の開口高さを第１水流Ｆ１の流通高さと同様の高さとしている。しかし、第２給水管２５を、開口２５Ａが斜め上方を向くように配置しているため、第２吐水口２２２からの洗浄水を斜め上方に吐出させて第２水流Ｆ２を形成することができる。これにより、実施例１と同様に、水流Ｆ１，Ｆ２を合流させることなく吐出することができ、水流Ｆ１，Ｆ２の衝突を回避することができる。その結果、衝突による飛沫の発生を防止することができる。
このように、実施例２の水洗式便器２０１もまた、実施例１と同様の作用効果を奏する。
【００３４】
＜他の実施例＞
本発明は上記記述及び図面によって説明した実施例に限定されるものではなく、例えば次のような実施例も本発明の技術的範囲に含まれる。
（１）実施例１及び２では、棚面部及び傾斜面部を有して構成された通水部を例示したが、これは必須ではない。通水部は、便鉢周縁の全周に亘って形成された棚面部により構成されてもよい。また、通水部は、棚状に形成され部位を有さずに構成される形態であってもよい。例えば、立面部の下端部に鉢面部が連続して設けられた便鉢において、第１吐水口から吐出される洗浄水が鉢面部の表面を旋回して流通する場合のように、便鉢における洗浄水が環状に旋回して流通する高さの部分が本発明に係る通水部である。
（２）実施例１及び２では、棚状に形成された棚面部を有する通水部において、棚面部が平面視馬蹄形状に設けられている形態を例示したが、これは必須ではない。通水部が棚面部を有する場合には、例えば、棚面部は便鉢の全周に亘って形成されていたり、平面視略半円形状などのより狭い範囲に形成されていたりなど、他の形態の棚面部であってもよい。
（３）実施例１及び２では、立面部の上端から内側に張り出すオーバーハング部を設けない形態としたが、便鉢の上端の一部に、又は全周に亘ってオーバーハング部が形成されていてもよい。
（４）実施例１及び２では、第１吐水口及び第２吐水口を夫々１つずつ備える形態を例示したが、各吐水口は、１つ又は３以上備えられていてもよい。
（５）実施例１及び２では、第１吐水口及び第２吐水口を便鉢の後方側に配置したが、吐水口の位置は特に限定されない。また、吐水口からの洗浄水の吐出方向やそれによる便鉢内の旋回方向も限定されない。
（６）実施例１及び２では、第２吐水口が便鉢の通水部よりも外側の領域に開口している形態を例示したが、通水部の内側の領域に形成されていてもよい。
（７）実施例１及び２では、第２吐水口から吐出される洗浄水が溜水面よりも上方且つ通水部よりも下方の便鉢表面に衝突するように吐出される形態を例示したが、これは必須ではない。
（８）実施例１では、第１水流の流通高さよりも高い位置から洗浄水を吐出し、実施例２では、斜め上方に向けて洗浄水を吐出することにより、水流同士を合流させることなく、第２吐水口から吐出された洗浄水を通水部の内側の領域に直接流入する形態を夫々例示したが、例えば、便鉢の通水部の内側の領域に第２吐水口が開口する形態等、他の形態によって第２吐水口からの洗浄水を通水部の内側領域に直接流入させてもよい。なお、第２吐水口から吐出される洗浄水は、通水部を流通することなく、通水部の内側の領域に直接流入すればよく、上述の実施例の形態に限定されない。
（９）第２吐水口は、その一部が通水部を流通する洗浄水の流通高さ以上の高さに開口して形成されていればよく、好ましくは、その全体が通水部を流通する洗浄水の流通高さよりも高い位置に開口する形態である。
【符号の説明】
【００３５】
１，２０１…水洗式便器
２…便器本体
１０…便鉢
１１…立面部
１２…鉢面部
１３…通水部（１３Ａ…棚面部、１３Ｂ…傾斜面部）
１４…溜水部
２１…第１吐水口
２１Ａ…第１吐水路
２２，２２２…第２吐水口
２２Ａ…第２吐水路
２３…分配給水管
２４…第１給水管
２４Ａ…第１給水管の開口
２５…第２給水管
２５Ａ…第２給水管の開口
３０…排水管
Ｆ１…第１水流
Ｆ２…第２水流
Ｓ…収納空間
Ｔ…洗浄タンク
ＷＳ…溜水面
【図１】
2018204195.tif 000003
【図２】
2018204195.tif 000004
【図３】
2018204195.tif 000005
【図４】
2018204195.tif 000006
【図５】
2018204195.tif 000007
【図６】
2018204195.tif 000008